(57)【特許請求の範囲】
【請求項１】
被検体に実施された検査の実施日および当該検査の目的と、当該検査で取得された前記被検体の検査画像と、前記被検体に設定された治療オーダ情報と、前記被検体のクリティカルパス情報と、を含む検査情報を取得し、取得した前記被検体の前記検査情報にもとづいて、前記被検体に対する治療手順を示すガイドラインを構成する複数のステータスから、前記検査情報に対応する検査の時点における治療進行状態が属する現在ステータスを自動的に決定する現在ステータス決定部と、
前記現在ステータスと前記検査情報に含まれた検査画像とを関連付けることにより、複数の前記検査画像のそれぞれをステータスごとに関連付けた関連付け情報を生成する関連付け部と、
を備えた医用画像処理装置。
【請求項２】
前記現在ステータス決定部は、
前記ガイドラインの手順上流のステータスから直接遷移しうるステータスへのあらかじめ定められた遷移条件を用いて、前記被検体の前記検査情報にもとづいて前記現在ステータスを決定する、
請求項１記載の医用画像処理装置。
【請求項３】
前記関連付け情報にもとづいて複数の前記検査画像を分類し、分類ごとに分類に属する前記検査画像を含むビューを生成し、表示部に表示させるビュー生成部、
をさらに備えた請求項１または２に記載の医用画像処理装置。
【請求項４】
前記ビュー生成部は、
前記関連付け情報を用いて、複数の前記検査画像を前記ステータスごとに分類し、前記ステータスごとに各ステータスに関連付けられた前記検査画像を含むビューを生成する、
請求項３記載の医用画像処理装置。
【請求項５】
前記複数のステータスのそれぞれに対してあらかじめ設定されたフィルタ条件を取得し、前記関連付け情報に対して所定のステータスに対して設定されたフィルタ条件を適用することによりこのフィルタ条件に適合する検査画像を抽出するフィルタ部、
をさらに備え、
前記ビュー生成部は、
前記フィルタ部により抽出された前記検査画像を含むビューを生成する、
請求項３または４に記載の医用画像処理装置。
【請求項６】
前記フィルタ部は、
前記ガイドラインを構成する前記複数のステータスのうち、ユーザにより入力部を介して選択されたステータスを前記所定のステータスとする、
請求項５記載の医用画像処理装置。
【請求項７】
前記関連付け情報は、
前記ステータスと、前記検査画像と、前記ステータス内における前記検査画像の取得された順序の情報とを関連付けた情報であり、
前記フィルタ条件は、
前記所定のステータスと、前記関連付け情報のステータスと、前記関連付け情報の各ステータス内における前記検査画像の取得された順序の情報と、を関連付けた情報である、
請求項５または６に記載の医用画像処理装置。
【請求項８】
前記フィルタ条件は、
１つの前記所定のステータスに対して複数の前記関連付け情報のステータスが関連付けられた、
請求項５ないし７のいずれか１項に記載の医用画像処理装置。
【請求項９】
前記ビュー生成部により生成されたビューを複数提示して実行されたチーム医療ミーティングにおけるミーティング参加者の各ビューに対する注目度を収集するアクティビティ収集部と、
前記チーム医療ミーティングの実行時における前記現在ステータスについての前記フィルタ条件を、前記各ビューに対する注目度に応じて更新するフィードバック部と、
をさらに備えた請求項５ないし８のいずれか１項に記載の医用画像処理装置。
【請求項１０】
コンピュータを、
被検体に実施された検査の実施日および当該検査の目的と、当該検査で取得された前記被検体の検査画像と、前記被検体に設定された治療オーダ情報と、前記被検体のクリティカルパス情報と、を含む検査情報を取得し、前記被検体に対する治療手順を示すガイドラインを構成する複数のステータスから、前記被検体の前記検査情報にもとづいて、前記検査情報に対応する検査の時点における治療進行状態に対応する現在ステータスを自動的に決定する現在ステータス決定部、
前記現在ステータスと前記検査情報に含まれた検査画像とを関連付けることにより、複数の前記検査画像のそれぞれを前記ステータスごとに関連付ける関連付け部、
として機能させるための医用画像処理プログラム。
【請求項１１】
被検体の検査情報にもとづいて、前記被検体に対する治療手順を示すガイドラインを構成する複数のステータスから、前記検査情報に対応する検査の時点における治療進行状態が属する現在ステータスを決定する現在ステータス決定部と、
前記現在ステータスと前記検査情報に含まれた検査画像とを関連付けることにより、複数の前記検査画像のそれぞれをステータスごとに関連付けた関連付け情報を生成する関連付け部と、
前記関連付け情報にもとづいて複数の前記検査画像を分類し、分類ごとに分類に属する前記検査画像を含むビューを生成し、表示部に表示させるビュー生成部と、
前記複数のステータスのそれぞれに対してあらかじめ設定されたフィルタ条件を取得し、前記関連付け情報に対して所定のステータスに対して設定されたフィルタ条件を適用することによりこのフィルタ条件に適合する検査画像を抽出するフィルタ部と、
前記ビュー生成部により生成されたビューを複数提示して実行されたチーム医療ミーティングにおけるミーティング参加者の各ビューに対する注目度を収集するアクティビティ収集部と、
前記チーム医療ミーティングの実行時における前記現在ステータスについての前記フィルタ条件を、前記各ビューに対する注目度に応じて更新するフィードバック部と、
を備え、
前記ビュー生成部は、
前記フィルタ部により抽出された前記検査画像を含むビューを生成する、
医用画像処理装置。
【請求項１２】
コンピュータを、
被検体に対する治療手順を示すガイドラインを構成する複数のステータスから、前記被検体の検査情報にもとづいて、前記検査情報に対応する検査の時点における治療進行状態に対応する現在ステータスを自動的に決定する現在ステータス決定部、
前記現在ステータスと前記検査情報に含まれた検査画像とを関連付けることにより、複数の前記検査画像のそれぞれを前記ステータスごとに関連付けた関連付け情報を生成する関連付け部、
前記関連付け情報にもとづいて複数の前記検査画像を分類し、分類ごとに分類に属する前記検査画像を含むビューを生成し、表示部に表示させるビュー生成部、
前記複数のステータスのそれぞれに対してあらかじめ設定されたフィルタ条件を取得し、前記関連付け情報に対して所定のステータスに対して設定されたフィルタ条件を適用することによりこのフィルタ条件に適合する検査画像を抽出するフィルタ部、
前記ビュー生成部により生成されたビューを複数提示して実行されたチーム医療ミーティングにおけるミーティング参加者の各ビューに対する注目度を収集するアクティビティ収集部、
前記チーム医療ミーティングの実行時における前記現在ステータスについての前記フィルタ条件を、前記各ビューに対する注目度に応じて更新するフィードバック部、
として機能させるための医用画像処理プログラムであって、
前記ビュー生成部は、
前記フィルタ部により抽出された前記検査画像を含むビューを生成する、
医用画像処理プログラム。
【発明の詳細な説明】
【技術分野】
【０００１】
本発明の実施形態は、医用画像処理装置および医用画像処理プログラムに関する。
【背景技術】
【０００２】
最近、多くの病院では、患者中心の医療を実現するためにチーム医療（ＭＤＴ、Multi Disciplinary Team）が導入されている。ＭＤＴにおいては、チーム内で情報を共有してより良い治療方針を決定するために、ＭＤＴミーティング（ＭＤＴＭ）が開催される。ＭＤＴＭでは、患者に関する情報（たとえば検査結果画像など）が会議室のスクリーンなどに表示される。ＭＤＴＭの参加者は、表示された情報にもとづいて、患者の治療方針などについての議論を交わす。
【先行技術文献】
【特許文献】
【０００３】
【特許文献１】特開２０１４−１０６７６８号公報
【発明の概要】
【発明が解決しようとする課題】
【０００４】
ＭＤＴＭの実行時にＭＤＴＭの参加者に対して提示される情報（提示情報）は、ＭＤＴＭに先だって準備されることが好ましい。たとえば、放射線科医は、患者の状態を説明するための医用画像を事前に選択しておくことが好ましい。
【０００５】
適切な提示情報を選択するためには、情報を提示する者は、ＭＤＴＭで必要とされる情報を正しく把握しておくことが必要となる。しかし、ＭＤＴＭで必要とされる情報を正しく把握するためには、患者の状態や今までの経緯の把握、他科の持っている情報の入手が必要となる。また、ＭＤＴＭで提示したい医用画像を検索し選択しておく作業も必要となる。
【０００６】
このため、情報提示者は、ＭＤＴＭの参加者に対する提示情報を準備するために多くの時間を必要としてしまう。特に、がんの治療など、患者の治療期間が長いとともに検査数が多い場合、準備に要する時間が長くなってしまう。場合によっては、情報提示者は事前の準備が間に合わないままにＭＤＴＭに望んでしまうことになり、この場合ＭＤＴＭの成果に多大な悪影響を与えてしまうことになってしまう。
【課題を解決するための手段】
【０００７】
本発明の一実施形態に係る医用画像処理装置は、上述した課題を解決するために、被検体の検査情報にもとづいて、前記被検体に対する治療手順を示すガイドラインを構成する複数のステータスから、前記検査情報に対応する検査の時点における治療進行状態が属する現在ステータスを決定する現在ステータス決定部と、前記現在ステータスと前記検査情報に含まれた検査画像とを関連付けることにより、複数の前記検査画像のそれぞれをステータスごとに関連付けた関連付け情報を生成する関連付け部と、を備えたものである。
【図面の簡単な説明】
【０００８】
【図１】本発明の第１実施形態に係る医用画像処理装置の一例を示すブロック図。
【図２】ガイドライン取得部により取得されるガイドラインの一例を示す説明図。
【図３】図２に示すガイドラインの各ステータスにあらかじめ設定された遷移条件について説明するための図。
【図４】検査情報の一例を示す説明図。
【図５】図４に示す検査ＩＤ１２３４５の検査情報を取得した現在ステータス決定部２２により、現在ステータスが決定される様子を説明するための図。
【図６】図５に示す検査ＩＤ１２３４５の検査後に実施された検査ＩＤ５６７８９の検査情報を取得した現在ステータス決定部により、現在ステータスが決定される様子を説明するための図。
【図７】複数の検査画像のそれぞれをステータスごとに関連付けたステータス・検査画像関連付け情報の一例を示す説明図。
【図８】第１実施形態に係るビュー作成部により生成されるビューの一例を示す説明図。
【図９】図１に示す制御部のＣＰＵにより、ＭＤＴＭの参加者に対する提示情報の準備を支援するためステータス・検査画像関連付け情報を生成する際の手順の一例を示すフローチャート。
【図１０】図１に示す制御部のＣＰＵにより、ＭＤＴＭの参加者に対する提示情報の準備を支援するため、ステータス・検査画像関連付け情報にもとづいて、関連付けステータスごとのビューを生成する際の手順の一例を示すフローチャート。
【図１１】本発明の第２実施形態に係る医用画像処理装置の一例を示すブロック図。
【図１２】所定のステータスが「フォローアップ」である場合においてフィルタ条件に適合する検査画像を用いてビューが生成される際の様子の一例を示す説明図。
【図１３】所定のステータスが「再発／ＶＩ期精密検査（再発精検）」である場合においてフィルタ条件に適合する検査画像を用いてビューが生成される際の様子の一例を示す説明図。
【図１４】図１１に示す制御部のＣＰＵにより、ＭＤＴＭの参加者に対する提示情報の準備を支援するため、ステータス・検査画像関連付け情報にもとづいて、フィルタ条件に適合する検査画像を用いてビューを生成する際の手順の一例を示すフローチャート。
【図１５】本発明の第３実施形態に係る医用画像処理装置の一例を示すブロック図。
【図１６】（ａ）は現在ステータスが再発精検であり、設定ステータスを再発精検とした場合のフィルタ条件の一例を示す説明図、（ｂ）はビューＶ−１、Ｖ−２、Ｖ−３、Ｖ−４のそれぞれがＭＤＴＭにおいて実際に閲覧された時間の一例を示す説明図、（ｃ）はＭＤＴＭにおける各ビューの閲覧時間に応じて各ビューの重みを求める様子の一例を示す説明図、（ｄ）は各ビューの重みに応じてフィルタ条件を更新する様子の一例を示す説明図。
【図１７】図１５に示す制御部のＣＰＵにより、ＭＤＴＭにおける各ビューに対する注目度に応じてフィルタ条件を更新する際の手順の一例を示すフローチャート。
【発明を実施するための形態】
【０００９】
本発明に係る医用画像処理装置および医用画像処理プログラムの実施の形態について、添付図面を参照して説明する。
【００１０】
本発明の一実施形態に係る医用画像処理装置は、ＭＤＴＭの参加者に対する提示情報を準備するために用いられ、たとえばパーソナルコンピュータやワークステーションにより構成される情報処理端末を用いることができる。
【００１１】
医用画像処理装置は、たとえば画像保存通信システム（ＰＡＣＳ：Picture Archiving and Communication Systems）、病院情報システム（ＨＩＳ：Hospital Information System）、放射線科情報システム（ＲＩＳ：Radiology Information System）などの種々のシステムのビューワとして用いられてもよい。また、医用画像処理装置は、ネットワークを介してＰＡＣＳが保持するビューワソフトウエアをリモートから利用することにより、ＰＡＣＳに保持された医用画像を参照可能に構成されてもよい。また、医用画像処理装置は、各種モダリティの操作コンソールの一機能として実現されてもよい。
【００１２】
（第１の実施形態）
図１は、本発明の第１実施形態に係る医用画像処理装置１０の一例を示すブロック図である。
【００１３】
医用画像処理装置１０は、表示部１１、入力部１２、記憶部１３、ネットワーク接続部１４および制御部１５を有する。
【００１４】
表示部１１は、たとえば液晶ディスプレイやＯＬＥＤ（Organic Light Emitting Diode）ディスプレイなどの一般的な表示出力装置により構成される。表示部１１は、制御部１５の制御に従ってネットワークを介して取得された医用画像などの各種情報や、制御部１５により生成されたビューなどを表示する。入力部１２は、たとえばキーボード、テンキーなどの一般的な入力装置により構成され、ユーザの操作に対応した操作入力信号を制御部１５に出力する。
【００１５】
表示部１１および入力部１２は、一体として操作パネルを構成してもよい。この場合、操作パネルは、ユーザが押したときにそれぞれ固有の指示信号をＣＰＵに与えるボタンなどの入力部１２の一部としてのハードキーと、表示入力装置とを有する。この場合、表示入力装置は、表示部１１と表示部１１の近傍に設けられた入力部１２の一部としてのタッチパネルとを有する。表示部１１は、制御部１５に制御されて、医用画像処理装置１０を操作するための情報および医用画像処理装置１０を操作するための複数のソフトキーを表示する。タッチパネルは、ユーザによるタッチパネル上の指示位置の情報を制御部１５に与える。
【００１６】
記憶部１３は、磁気的もしくは光学的記録媒体または半導体メモリなどの、ＣＰＵ等の演算装置により読み取り可能な記録媒体を含んだ構成を有する。記憶部１３は、治療ガイドラインや、患者（被検体）の現在の治療進行状況が属するステータス（以下、現在ステータスという）の情報、および複数の前記検査画像のそれぞれをステータスごとに関連付けた情報（以下、ステータス・検査画像関連付け情報という）を記憶する。記憶部１３に記憶されるデータの一部または全部は、ネットワークを介してダウンロードされてもよい。
【００１７】
ネットワーク接続部１４は、ネットワークの形態に応じた種々の情報通信用プロトコルを実装する。ネットワーク接続部１４は、この各種プロトコルに従って医用画像処理装置１０と図示しない外部のＰＡＣＳ、ＨＩＳ、ＲＩＳなどのシステムとを接続する。この接続には、電子ネットワークを介した電気的な接続などを適用することができる。ここで電子ネットワークとは、電気通信技術を利用した情報通信網全般を意味し、無線／有線の病院基幹ＬＡＮ（Local Area Network）やインターネット網のほか、電話通信回線網、光ファイバ通信ネットワーク、ケーブル通信ネットワークおよび衛星通信ネットワークなどを含む。
【００１８】
外部のＰＡＣＳ、ＨＩＳ、ＲＩＳなどのシステムには、それぞれ所定の規則に従って、ガイドライン、医用画像データ、検査情報、治療オーダ情報、カルテ情報、クリティカルパス情報などの各種医療情報が保持されている。医用画像処理装置１０は、ネットワーク接続部１４を介してこれらの医療情報を取得する。
【００１９】
制御部１５は、ＣＰＵ、ＲＡＭおよびＲＯＭをはじめとする記憶媒体などにより構成され、この記憶媒体に記憶されたプログラムに従って医用画像処理装置１０を制御する。
【００２０】
制御部１５のＣＰＵは、ＲＯＭをはじめとする記憶媒体に記憶された医用画像処理プログラムおよびこのプログラムの実行のために必要なデータをＲＡＭへロードし、このプログラムに従ってＭＤＴＭの参加者に対する提示情報の準備を支援するための処理を実行する。
【００２１】
制御部１５のＲＡＭは、ＣＰＵが実行するプログラムおよびデータを一時的に格納するワークエリアを提供する。制御部１５のＲＯＭをはじめとする記憶媒体は、医用画像処理装置１０の起動プログラム、医用画像処理プログラムや、これらのプログラムを実行するために必要な各種データを記憶する。
【００２２】
なお、ＲＯＭをはじめとする記憶媒体は、磁気的もしくは光学的記録媒体または半導体メモリなどのＣＰＵにより読み取り可能な記録媒体を含んだ構成を有し、これら記憶媒体内のプログラムおよびデータの一部または全部は、記憶部１３に記憶されたデータと同様に、ネットワークを介してダウンロードされるように構成してもよい。
【００２３】
図１に示すように、制御部１５のＣＰＵは、医用画像処理プログラムによって、少なくともガイドライン取得部２１、現在ステータス決定部２２、関連付け部２３、およびビュー生成部２４として機能する。この各部２１−２４は、ＲＡＭの所要のワークエリアをデータの一時的な格納場所として利用する。なお、これらの機能実現部は、ＣＰＵを用いることなく回路などのハードウエアロジックによって構成してもよい。
【００２４】
図２は、ガイドライン取得部２１により取得されるガイドラインの一例を示す説明図である。なお、現在ステータスは「初回精密検査（初回精検）」であるものとする。
【００２５】
ガイドライン取得部２１は、ネットワーク上に保存された、またはあらかじめ記憶部１３に記憶されたガイドラインを取得する。ガイドラインは、患者に対する治療手順を示すものであり、複数のステータス（図２に示す例では、「初期精密検査」、「乳房部分切除」などのステータス）により構成される。
【００２６】
ガイドラインとしては、たとえばＮＣＣＮ（National Comprehensive Cancer Network）、や日本乳癌学会などにより公開されている種々の基本的なガイドラインを用いることができる。また、ガイドラインは、病院や患者ごとに適切なものが用いられてもよく、基本的なガイドラインをもとにアレンジしたものを用いてもよい。図２には、ＮＣＣＮのガイドラインをもとに作成された浸潤性乳癌のガイドラインの一例を示した。図２に示すように、ガイドラインはフローチャートやＢＰＭＮ（Business Process Modeling Notation）などの記述法で記述することができる。
【００２７】
現在ステータス決定部２２は、被検体の検査情報にもとづいて、検査情報に対応する検査の時点における治療進行状態が属する現在ステータスを決定し、記憶部１３に記憶させる。
【００２８】
図３は、図２に示すガイドラインの各ステータスにあらかじめ設定された遷移条件について説明するための図である。また、図４は、検査情報の一例を示す説明図である。
【００２９】
あらかじめ、ガイドラインの手順上流のステータスから直接遷移しうる次のステータスへの遷移条件は、遷移先のステータスにあらかじめ定められている。この遷移条件の情報は、たとえば付帯情報としてガイドラインに内包されてもよいし、別データとしてガイドラインに関連付けてネットワークストレージや記憶部１３に保存されていてもよい。
【００３０】
たとえば、図２および図３に示す例において、「初回精密検査」から直接遷移しうるステータスは、「乳房部分切除」、「乳房全切除術」、「術前化学療法」の３つである。これら３つのステータスのそれぞれには、あらかじめ、「初回精密検査」のステータスから自身のステータスへの遷移条件が設定されている。図３には、本実施形態の説明に用いる遷移条件についてのみ吹き出しを用いてその一例を示した。なお、遷移条件は、ユーザにより入力部１２を介してその内容を更新されてもよい。
【００３１】
現在ステータス決定部２２は、今回取得した現在ステータス決定処理の対象となる検査情報（対象検査情報）に含まれる検査日および検査目的、ならびに患者に付随する検査情報（付随検査情報）にもとづいて現在ステータスを決定する。患者に付随する検査情報としては、たとえば治療オーダ情報、カルテ情報、クリティカルパス情報などが含まれる（図４参照）。以下の説明では、対象検査情報および付随検査情報を検査情報と適宜いうものとする。
【００３２】
図５は、図４に示す検査ＩＤ１２３４５の検査情報を取得した現在ステータス決定部２２により、現在ステータスが決定される様子を説明するための図である。
【００３３】
図５に示すように、現在ステータス決定部２２は、今回実施した検査ＩＤ１２３４５の対象検査情報および付随検査情報を取得し、この検査情報にもとづいて現在ステータスの遷移判定を行う。
【００３４】
いま、検査ＩＤ１２３４５の実施前の現在ステータスが「初回精密検査」であるとする。「初回精密検査」から直接遷移しうる３つのステータス「乳房部分切除」、「乳房全切除術」、「術前化学療法」のうち、取得した検査情報により遷移条件が満たされるステータスは「術前化学療法」である。このため、現在ステータス決定部２２は、検査ＩＤ１２３４５の検査情報にもとづいて、現在ステータスを「術前化学療法」に決定し、記憶部１３に記憶させる。
【００３５】
図６は、図５に示す検査ＩＤ１２３４５の検査後に実施された検査ＩＤ５６７８９の検査情報を取得した現在ステータス決定部２２により、現在ステータスが決定される様子を説明するための図である。
【００３６】
いま、検査ＩＤ１２３４５の実施後の現在ステータスは「術前化学療法」である。取得した検査ＩＤ５６７８９の検査情報および各ステータスに設定された遷移条件から明らかなように、現在ステータスは、「乳房部分切除」を経て「術後薬物療法」へと２段階遷移する。すなわち、現在ステータス決定部２２は、検査ＩＤ５６７８９の検査情報にもとづいて、現在ステータスを「術後薬物療法」に決定し記憶部１３に記憶させる。
【００３７】
なお、遷移条件は人間によって記述されるものであってもよいし、サポートベクターマシンなどの機械学習による識別器を用いて決定されてもよい。機械学習を行う場合、たとえば入力には検査情報および人間が判定したステータスを用い、識別器に今回実施された検査除法を入力して現在ステータスを識別するとよい。
【００３８】
また、ガイドラインに対して実施情報を付加してもよい。この場合、たとえばガイドライン上で通過した（処理済みの）ステータスに対して色をつけるなどの強調表示を行うことよい。ガイドラインに対して実施情報を付加することにより、ユーザはガイドラインを見るだけで、現在ステータスの位置を容易に確認することができるとともに、現在ステータスに至るこれまでの治療経緯を容易に把握することができる。
【００３９】
図７は、複数の検査画像のそれぞれをステータスごとに関連付けたステータス・検査画像関連付け情報の一例を示す説明図である。図７において、ＭＧはマンモグラフィを、ＵＬは超音波診断装置を、それぞれ表す。
【００４０】
関連付け部２３は、現在ステータス決定部２２により決定された現在ステータスの情報を取得する。関連付け部２３は、この現在ステータスと、現在ステータスに対応する検査情報に含まれた検査画像（検査情報に対応する検査で撮像された検査画像）と、を関連付けたステータス・検査画像関連付け情報を生成し、記憶部１３に記憶させる。関連付け部２３は、新たな検査情報を取得するたびにステータス・検査画像関連付け情報にデータを追記していく。この結果、ステータス・検査画像関連付け情報は、複数の検査画像のそれぞれをステータス（適宜、関連付けステータスという）ごとに関連付けた情報となる（図７参照）。
【００４１】
また、関連付け部２３は、現在ステータスに対し、検査画像のほか、レポート、心電図、血液検査結果などを関連付けてもよい。
【００４２】
なお、図７には、ステータス・検査画像関連付け情報が検査ＩＤとステータス（関連付けステータス）とを関連付けた情報である場合の例について示した。検査ＩＤのそれぞれには検査内容によっては検査画像が関連付けられており、検査ＩＤから検査画像を容易に参照することができる。また、ステータス・検査画像関連付け情報に追記する検査ＩＤは検査画像を含む検査ＩＤのみとしてもよい。
【００４３】
また、同一の関連付けステータス内に複数の検査が関連付けられる場合は、関連付けステータス内での検査の実施された順序（関連付けステータス内順番）の情報をさらに関連付けておくとよい。また、各検査で使用されたモダリティの情報をさらに関連付けておいてもよい。
【００４４】
図８は、第１実施形態に係るビュー生成部２４により生成されるビューの一例を示す説明図である。
【００４５】
ビュー生成部２４は、ステータス・検査画像関連付け情報にもとづいて複数の検査画像を分類し、分類ごとに分類に属する検査画像を含むビューを生成し、表示部１１に表示させる。本実施形態においては、ビュー生成部２４は、ステータス・検査画像関連付け情報をそのまま用い、複数の検査画像を関連付けステータスごとに分類し、関連付けステータスごとにビューを生成する（図８参照）。
【００４６】
また、新たな検査情報を取得し、この検査情報により現在ステータスが遷移した場合は、新たな検査情報の検査で撮像された検査画像により新たな現在ステータスに対応するビューを生成してもよい（図８の「フォローアップ」参照）。また、ビューには、検査画像のほかレポートなどが含まれてもよい。
【００４７】
ビュー生成部２４により生成されたビューに属する検査画像は、ユーザにより入力部１２を介して加えられあるいは削除されてもよい。
【００４８】
次に、本実施形態に係る医用画像処理装置１０の動作の一例について説明する。
【００４９】
図９は、図１に示す制御部１５のＣＰＵにより、ＭＤＴＭの参加者に対する提示情報の準備を支援するためステータス・検査画像関連付け情報を生成する際の手順の一例を示すフローチャートである。図９において、Ｓに数字を付した符号はフローチャートの各ステップを示す。
この手順は、患者ＩＤを取得した時点でスタートとなる。
【００５０】
まず、ステップＳ１において、ガイドライン取得部２１は、ＭＤＴＭでの議論対象となる患者のガイドラインを、ネットワークを介してまたは記憶部１３から取得する（図２参照）。
【００５１】
次に、ステップＳ２において、現在ステータス決定部２２は、現在ステータスの情報を記憶部１３から取得する。たとえば、現在ステータス決定部２２は、図２に示すガイドラインにおいて現在ステータスが「初回精密検査」である旨の情報を記憶部１３から取得する。
【００５２】
次に、ステップＳ３において、現在ステータス決定部２２は、現在ステータスから直接遷移しうる次ステータスへの遷移条件を取得する（図３参照）。
【００５３】
次に、ステップＳ４において、現在ステータス決定部２２は、検査情報を取得する。たとえば、現在ステータス決定部２２は、図４および図５に示す検査ＩＤ１２３４５の検査情報を取得する。
【００５４】
次に、ステップＳ５において、現在ステータス決定部２２は、取得した検査情報により遷移条件が満たされる次ステータスがあるか否かを判定する。遷移条件を満たす次ステータスがある場合は、ステップＳ６に進む。たとえば、上記例では、現在ステータス決定部２２は、検査ＩＤ１２３４５の検査情報にもとづいて遷移条件を満たす次ステータス「術前化学療法」があると判定し、ステップＳ６に進む。一方、遷移条件を満たす次ステータスがない場合は、ステップＳ７に進む。
【００５５】
次に、ステップＳ６において、現在ステータス決定部２２は、遷移先のステータスを現在ステータスに決定し記憶部１３に記憶させる。
【００５６】
次に、ステップＳ７において、関連付け部２３は、現在ステータス決定部２２により決定された現在ステータスの情報を取得する。そして、関連付け部２３は、この現在ステータスと、現在ステータスに対応する検査情報に含まれた検査画像と、を関連付けたステータス・検査画像関連付け情報を生成し、記憶部１３に記憶させる（図７参照）。
【００５７】
次に、ステップＳ８において、関連付け部２３は、全ての検査情報について処理終了したか否かを判定する。全ての検査情報について処理を終了した場合は、一連の手順は終了となる。一方、未処理の検査情報がある場合は、ステップＳ２に戻る。
【００５８】
以上の手順により、ＭＤＴＭの参加者に対する提示情報の準備を支援するためのステータス・検査画像関連付け情報を生成することができる。
【００５９】
図１０は、図１に示す制御部１５のＣＰＵにより、ＭＤＴＭの参加者に対する提示情報の準備を支援するため、ステータス・検査画像関連付け情報にもとづいて、関連付けステータスごとのビューを生成する際の手順の一例を示すフローチャートである。図１０において、Ｓに数字を付した符号はフローチャートの各ステップを示す。
【００６０】
この手順は、図９に示す一連の手順が終了した時点でスタートとなる。
【００６１】
ビュー生成部２４は、ステータス・検査画像関連付け情報をそのまま用い、複数の検査画像を関連付けステータスごとに分類し、関連付けステータスごとにビューを生成し（ステップＳ１１）、表示部１１に表示させる（ステップＳ１２）（図８参照）。
【００６２】
以上の手順により、ＭＤＴＭの参加者に対する提示情報の準備を支援するためステータス・検査画像関連付け情報にもとづいて関連付けステータスごとのビューを生成することができる。
【００６３】
本実施形態に係る医用画像処理装置１０は、ガイドラインの各ステータスに検査画像を関連付けたステータス・検査画像関連付け情報を生成することができる。このため、ユーザは、ステータス・検査画像関連付け情報を参照することにより、検査情報（検査ＩＤ、検査画像）をステータスごとにまとめてあつかうことができる。また、医用画像処理装置１０は、ステータス・検査画像関連付け情報にもとづいて関連付けステータスごとのビューを生成し表示することができる。このため、ユーザは、関連付けステータスごとのビューを参照することにより、所望の検査画像の検索時間を大幅に短縮することができ、容易にＭＤＴＭの参加者に対する提示情報を準備することができる。
【００６４】
（第２の実施形態）
図１１は、本発明の第２実施形態に係る医用画像処理装置１０Ａの一例を示すブロック図である。
【００６５】
この第２実施形態に示す医用画像処理装置１０Ａは、フィルタ部３１を有し、ビュー生成部２４Ａがフィルタ部３１により抽出された検査画像にもとづいてビューを生成する点で第１実施形態に示す医用画像処理装置１０と異なる。他の構成および作用については図１に示す医用画像処理装置１０と実質的に異ならないため、同じ構成には同一符号を付して説明を省略する。
【００６６】
図１２は、所定のステータスが「フォローアップ」である場合においてフィルタ条件に適合する検査画像を用いてビューが生成される際の様子の一例を示す説明図である。図１２において、ステータス・検査画像関連付け情報は図７に示すものと同一である。
【００６７】
記憶部１３Ａは、記憶部１３の記憶内容に加え、さらにフィルタ条件を記憶する。フィルタ条件は、ガイドラインを構成する複数のステータスのそれぞれに対してあらかじめ設定される。フィルタ条件は、たとえば、所定のステータス（設定ステータス）と、ステータス・検査画像関連付け情報のステータス（関連付けステータス）と、関連付けステータス内での検査の実施された順序（関連付けステータス内順番）と、を関連付けた情報である（図１２の中段参照）。
【００６８】
また、フィルタ条件は、ユーザにより入力部１２を介してその内容を更新されてもよい。すなわち、ユーザは、フィルタ部３１による抽出結果を考慮してフィルタ条件を修正することができる。
【００６９】
制御部１５Ａのフィルタ部３１は、ステータス・検査画像関連付け情報に対して所定のステータス（設定ステータス）に対して設定されたフィルタ条件を適用することにより、このフィルタ条件に適合する検査画像を抽出する。フィルタ部３１は、ユーザにより入力部１２を介して選択されたステータスまたは現在ステータスの情報を取得し、所定のステータスとして設定する。
【００７０】
いま、ユーザにより「フォローアップ」が選択されて選択ステータス（所定のステータス）とされた場合を考える。図１２に示す例において、設定ステータスが「フォローアップ」である場合のフィルタ条件は、関連付けステータスが「フォローアップ」であり、かつモダリティがマンモグラフィであり、かつ関連付けステータス内順番が最新、最新−１、最初であることである。このため、フィルタ部３１は、設定ステータス「フォローアップ」に関連付けられたこれらのフィルタ条件をステータス・検査画像関連付け情報に対して適用し、これらのフィルタ条件に適合する検査ＩＤ２０００１、２０００４および２０００５を抽出する。
【００７１】
ビュー生成部２４Ａは、フィルタ部３１により抽出された検査画像を含むビューを生成する。上記例では、ビュー生成部２４Ａは、検査ＩＤ２０００１、２０００４および２０００５の各検査画像を用いてビューＶ−２を生成し、表示部１１に表示させる（図１２の下段参照）。
【００７２】
図１３は、所定のステータスが「再発／ＶＩ期精密検査（再発精検）」である場合においてフィルタ条件に適合する検査画像を用いてビューが生成される際の様子の一例を示す説明図である。
【００７３】
フィルタ条件は、１つの設定ステータス（所定のステータス）に対して複数の関連付けステータスが関連付けられてもよい。また、１つの設定ステータス（所定のステータス）に対して複数のビューが関連付けられてもよい。図１３には、フィルタ条件において、設定ステータス「再発精検」に対して、関連付けステータス「再発精検」および「初回精検」が関連付けられ、かつビューＶ−３およびＶ−４が関連付けられる場合の例について示した。また、図１３に示すように、モダリティごとにビューが生成されるようなフィルタ条件を設定しておいてもよい。
【００７４】
図１３に示す例において、「再発精検」が選択ステータスとされると、フィルタ部３１は、検査ＩＤ１０００１および３０００１をビューＶ−３用に抽出するとともに、検査ＩＤ１０００２および３０００２をビューＶ−４用に抽出する。ビュー生成部２４Ａは、検査ＩＤ１０００１および３０００１を用いてビューＶ−３を生成するとともに、検査ＩＤ１０００２および３０００２を用いてビューＶ−４を生成し、表示部１１に表示させる（図１３の下段参照）。
【００７５】
このため、ユーザは容易にＭＤＴＭ用のビューを準備することができる。また、ＭＤＴＭ用に準備したビューのそれぞれに対してＩＤを付しておいてもよい。この場合、次回以降のＭＤＴＭにおいてこれらのビューを容易に再利用することができる。
【００７６】
図１４は、図１１に示す制御部１５ＡのＣＰＵにより、ＭＤＴＭの参加者に対する提示情報の準備を支援するため、ステータス・検査画像関連付け情報にもとづいて、フィルタ条件に適合する検査画像を用いてビューを生成する際の手順の一例を示すフローチャートである。図１４において、Ｓに数字を付した符号はフローチャートの各ステップを示す。
【００７７】
ステップＳ２１において、フィルタ部３１は、ユーザにより入力部１２を介して選択されたステータスまたは現在ステータスの情報を取得し、所定のステータス（設定ステータス）として設定する。
【００７８】
次に、ステップＳ２２において、フィルタ部３１は、記憶部１３Ａを参照して設定ステータスに関連付けられたフィルタ条件を取得する。
【００７９】
次に、ステップＳ２３において、フィルタ部３１は、フィルタ条件をステータス・検査画像関連付け情報に対して適用し、これらのフィルタ条件に適合する検査ＩＤ２０００１、２０００４および２０００５の検査画像を抽出する。
【００８０】
次に、ステップＳ２４において、ビュー生成部２４Ａは、フィルタ部３１により抽出された検査画像を含むビューを生成する（図１２の下段および図１３の下段参照）。
【００８１】
以上の手順により、ＭＤＴＭの参加者に対する提示情報の準備を支援するため、ステータス・検査画像関連付け情報にもとづいて、フィルタ条件に適合する検査画像を用いてビューを生成することができる。
【００８２】
本実施形態に係る医用画像処理装置１０Ａは、第１実施形態に係る医用画像処理装置１０と同様の効果を奏する。また、医用画像処理装置１０Ａは、ステータス・検査画像関連付け情報を用い、フィルタ条件に応じて検査画像を絞り込むことができるとともに、絞り込んだ検査画像により構成されたビューを容易に生成し表示することができる。このため、ユーザは、単に関連付けステータスごとのビューを確認する場合に比べ、より容易かつ高度に検査状況を把握することができる。また、モダリティごとにビューが生成されるようなフィルタ条件を設定しておく場合、同一のモダリティにより撮像された画像群が同一のビューにおさまるため、比較読影が容易となる。
【００８３】
（第３の実施形態）
図１５は、本発明の第３実施形態に係る医用画像処理装置１０Ｂの一例を示すブロック図である。
【００８４】
この第３実施形態に示す医用画像処理装置１０Ｂは、フィードバック部４１およびアクティビティ収集部４２を有し、ＭＤＴＭにおける各ビューに対する注目度に応じてフィルタ条件を更新する点で第２実施形態に示す医用画像処理装置１０Ａと異なる。他の構成および作用については図１１に示す医用画像処理装置１０Ａと実質的に異ならないため、同じ構成には同一符号を付して説明を省略する。
【００８５】
図１６（ａ）は、現在ステータスが再発精検であり、設定ステータスを再発精検とした場合のフィルタ条件の一例を示す説明図である。図１６（ｂ）は、ビューＶ−１、Ｖ−２、Ｖ−３、Ｖ−４のそれぞれがＭＤＴＭにおいて実際に閲覧された時間の一例を示す説明図である。図１６（ｃ）は、ＭＤＴＭにおける各ビューの閲覧時間に応じて各ビューの重みを求める様子の一例を示す説明図である。図１６（ｄ）は、各ビューの重みに応じてフィルタ条件を更新する様子の一例を示す説明図である。
【００８６】
記憶部１３Ｂは、記憶部１３Ａの記憶内容に加え、さらにＭＤＴＭにおける各ビューに対する注目度の情報（以下、ＭＤＴＭアクティビティ情報という）を記憶する。ＭＤＴＭアクティビティ情報は、ＭＤＴＭにおける各ビューに対する注目度の情報である。ＭＤＴＭアクティビティ情報としては、たとえば各ビューの閲覧時間（アクティブ表示された時間など）、ＭＤＴＭ中に追加されたビューであるか否かのフラグ、各ビューの閲覧中の発言者数や発言時間、発言音量（白熱度）などが含まれる。図１６には、ＭＤＴＭアクティビティ情報が各ビューの閲覧時間である場合の例について示した。
【００８７】
制御部１５Ｂのアクティビティ収集部４２は、ビュー生成部２４Ｂにより生成されたビューを複数提示して実行されたＭＤＴＭにおけるミーティング参加者のＭＤＴＭアクティビティ情報（各ビューに対する注目度の情報）を収集し、記憶部１３Ｂに記憶させる（図１６（ｂ）参照）。なお、ＭＤＴＭアクティビティ情報の各情報の収集技術（画像のアクティブ表示時間の収集技術、音声認識技術など）としては従来各種のものが知られており、これらのうち任意のものを使用することが可能である。
【００８８】
制御部１５Ｂのフィードバック部４１は、ＭＤＴＭアクティビティ情報（ＭＤＴＭにおける各ビューに対する注目度の情報）にもとづいて、各ビューの重みを求める。図１６（ｃ）には、各ビューの重みを、ビュー数×各ビュー閲覧時間／全ビュー総閲覧時間により求める場合の例について示した。この算出式において、所定の参照時間以下のビューはビュー数にカウントしなくてもよい（図１６（ｂ）のビューＶ−１および図１６（ｃ）参照）。
【００８９】
また、フィードバック部４１は、ＭＤＴＭの実行時における現在ステータスを選択ステータスとし、この選択ステータスのフィルタ条件を、各ビューに対する注目度に応じて更新する。図１６（ｄ）に示す例では、設定ステータス「再発精検」のフィルタ条件に対し、当初関連付けられていなかったＶ−２（図１６（ａ）参照）が、重みに応じて関連付けられるよう、フィルタ条件が更新される（図１６（ｄ）参照）。このとき、重みが所定の値以下の検査画像は表示しないようにフィルタ条件を更新してもよい。
【００９０】
たとえば、現在ステータスが再発精検である場合、ＭＤＴＭではビューＶ−３およびＶ−４が主に参照されると想定されているものとする（図１６（ａ）参照）。しかし、実際にＭＤＴＭにおける各ビューの閲覧時間を収集したところ、ビューＶ−３よりもビューＶ−２のほうが長時間閲覧されていることがわかったとする（図１６（ｂ）参照）。この場合、現在ステータスが再発精検であるときのＭＤＴＭでは、ビューＶ−２を事前に準備しておくことが好ましいといえる。そこで、フィードバック部４１は、ＭＤＴＭの実行時における現在ステータスのフィルタ条件を、各ビューに対する注目度に応じて更新する（図１６（ｃ）、（ｄ）参照）。
【００９１】
図１７は、図１５に示す制御部１５ＢのＣＰＵにより、ＭＤＴＭにおける各ビューに対する注目度に応じてフィルタ条件を更新する際の手順の一例を示すフローチャートである。図１７において、Ｓに数字を付した符号はフローチャートの各ステップを示す。
【００９２】
ステップＳ３１において、フィードバック部４１は、記憶部１３Ｂからフィルタ条件を取得する（図１６（ａ）参照）。
【００９３】
次に、ステップＳ３２において、アクティビティ収集部４２は、ビュー生成部２４Ｂにより生成されたビューを複数提示して実行されたＭＤＴＭにおけるミーティング参加者のＭＤＴＭアクティビティ情報（各ビューに対する注目度の情報）を収集し、記憶部１３Ｂに記憶させる（図１６（ｂ）参照）。
【００９４】
次に、ステップＳ３３において、フィードバック部４１は、ＭＤＴＭアクティビティ情報（ＭＤＴＭにおける各ビューに対する注目度の情報）にもとづいて、各ビューの重みを求める（図１６（ｃ）参照）。そして、フィードバック部４１は、ＭＤＴＭの実行時における現在ステータスを選択ステータスとし、この選択ステータスのフィルタ条件を、各ビューに対する注目度に応じて更新する（図１６（ｄ）参照）。
【００９５】
以上の手順により、ＭＤＴＭにおける各ビューに対する注目度に応じてフィルタ条件を更新することができる。
【００９６】
本実施形態に係る医用画像処理装置１０Ｂは、第２実施形態に係る医用画像処理装置１０Ａと同様の効果を奏する。また、医用画像処理装置１０Ｂは、ＭＤＴＭにおける各ビューの注目度に応じてフィルタ条件を更新することができる。このため、医用画像処理装置１０Ｂで用いられるフィルタ条件は、ＭＤＴＭが実行されるごとに学習が進み、より使いやすいものに進化する。
【００９７】
また、医用画像処理装置１０Ｂのフィードバック部４１によるフィルタ条件の更新内容は、患者間で共有されてもよく、たとえば他の患者用のフィルタ条件に対して適用してもよい。たとえば、ガイドラインのこれまでの実施情報（治療経緯）の類似度に応じて類似患者を抽出し、類似患者間でフィルタ所件の更新内容を共有してもよい。このとき、対象患者の類似患者の過去のＭＤＴＭアクティビティ情報を取得し、この情報にもとづいて、対象患者のフィルタ条件を更新してもよい。
【００９８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１０、１０Ａ、１０Ｂ  医用画像処理装置
１１  表示部
１２  入力部
２２  現在ステータス決定部
２３  関連付け部
２４、２４Ａ、２４Ｂ  ビュー生成部
３１  フィルタ部
４１  フィードバック部
４２  アクティビティ収集部
【図１】
0006516983.tif 000002
【図２】
0006516983.tif 000003
【図３】
0006516983.tif 000004
【図４】
0006516983.tif 000005
【図５】
0006516983.tif 000006
【図６】
0006516983.tif 000007
【図７】
0006516983.tif 000008
【図８】
0006516983.tif 000009
【図９】
0006516983.tif 000010
【図１０】
0006516983.tif 000011
【図１１】
0006516983.tif 000012
【図１２】
0006516983.tif 000013
【図１３】
0006516983.tif 000014
【図１４】
0006516983.tif 000015
【図１５】
0006516983.tif 000016
【図１６】
0006516983.tif 000017
【図１７】
0006516983.tif 000018